(57)【要約】【課題】作業者が厨房内で作業する際に、自動洗米装置が邪魔になりやすい。【解決手段】支柱１２は上下に伸びるように配置されており、支柱１２の上部にはリフト機構６０を介して水平方向前方に延び出る支持基板１３が支持されている。この支持基板１３には、これより下方に垂下するよう保持部材１７が支持されると共に、支持基板１３の下方で、且つ、該保持部材１７の前方には洗米容器１９が支持されている。【選択図】図３
2007236853.tif 000002
【特許請求の範囲】
【請求項１】
投入された米と洗浄水とを攪拌して洗米する洗米部と、該洗米部を上方位置と下方位置とに移動可能に支持するリフト機構とを有することを特徴とする自動洗米装置。
【請求項２】
上下に伸びる支柱を有することを特徴とする請求項１に記載の自動洗米装置。
【請求項３】
前記リフト機構は、前記洗米部に取り付けられる取付板と、該取付板に一端が支持され、他端が前記支柱に回転自在に支持される連結部材とを有することを特徴とする請求項２に記載の自動洗米装置。
【請求項４】
前記リフト機構は、前記支柱に沿ってかけ渡されたチェーン又はベルトと、ギア又はローラを有することを特徴とする請求項２に記載の自動洗米装置。
【請求項５】
前記リフト機構はダンパーを有することを特徴とする請求項１乃至４の何れか１項に記載の自動洗米装置。
【請求項６】
前記洗米部から排出された洗浄水を受けて排出するシンクを備えることを特徴とする請求項１乃至５の何れか１項に記載の自動洗米装置。
【請求項７】
前記上方位置又は前記下方位置の少なくとも一方は調整可能であることを特徴とする請求項１乃至６の何れか１項に記載の自動洗米装置。
【請求項８】
前記上方位置から前記下方位置までの移動量が調整可能であることを特徴とする請求項１乃至７の何れか１項に記載の自動洗米装置。
【請求項９】
前記洗米部は洗米された米を排出する排出口を有することを特徴とする請求項１乃至８の何れか１項に記載の自動洗米装置。
【請求項１０】
前記洗米部は米を投入する投入口を有することを特徴とする請求項１乃至９の何れか１項に記載の自動洗米装置。
【請求項１１】
前記上方位置は、前記洗米部の下端が床から１４０ｃｍ〜２００ｃｍであることを特徴とする請求項１乃至１０の何れか１項に記載の自動洗米装置。
【請求項１２】
シンクの上方に取り付けられることを特徴とする請求項１乃至１１の何れか１項に記載の自動洗米装置。
【発明の詳細な説明】
【技術分野】
【０００１】
本発明は自動洗米装置に関し、特に、レストラン、食堂、寿司店のように、比較的少量の米を処理し、洗米から炊飯に至る工程を同一の場所、即ち、同一の厨房内で行う業者において使用するのに適した自動洗米装置に関する。
【背景技術】
【０００２】
従来から、多量の米を人手をかけずに安定した品質で効率よく洗米するために、業務用の自動洗米装置が使用されている。この種の自動洗米装置は、精米された米から水洗により米糠や油分を除去するものであるが、例えば、特許文献１に記載されているように、米と水との混合物を攪拌して洗米を行う洗米容器を上部に設け、洗米された米を収納する受入容器（例えば、釜やバケツ）を下部に裁置して縦型に構成することにより、装置自体の占有面積を小さくした自動洗米装置が開発されている。
【特許文献１】特開２００４−１４７８５３号公報
【発明の開示】
【発明が解決しようとする課題】
【０００３】
特許文献１のように、縦型の自動洗米装置では、洗米処理された混合物は洗米容器の下部に設けられた排出口から重力により落下して受入容器に収納されるが、洗米容器の排出口と受入容器の受け部口の距離が長いと、米や水が飛散して米の無駄や周囲を汚染することが問題となる。このため、洗米容器の排出口と受入容器の受け部口の距離を所定の値以下とする必要がある。この距離は、受入容器の受け部口の大きさにもよるが、小型の自動洗米装置に用いる受入容器の大きさには制限があるため、洗米容器の排出口と受入容器の受け部口間の距離を極度に長くすることはできない。
【０００４】
一方、受入容器を裁置したり移動したりする作業を考慮して、作業者が作業しやすいように、受入容器は作業者の下半身程度の高さに裁置されることが多い。このような場合、上記の洗米容器の排出口と受入容器の受け部口との距離の関係から、必然的に洗米容器は作業者の上半身とほぼ等しい高さに設けられることになる。
【０００５】
したがって、作業者が厨房内で作業をする際には、自動洗米装置が邪魔となりやすい。厨房における自動洗米装置の使用時間は比較的短いにも関わらず、この自動洗米装置が厨房中での作業を阻害することになり、この解決が望まれている。
【０００６】
特に、この自動洗米装置は、洗米処理で水を使用する為、水栓及び排水設備であるシンクの近傍に配置されることもあり、このような場合、シンクの上方に自動洗米装置を配置することが望ましい。
【０００７】
このように、シンクの上方に自動洗米装置を配置すると、シンクが洗米時の排水や受入容器の裁置以外に使用される場合、即ち、食器や鍋などの洗浄に使用される場合に、自動洗米装置の洗米容器が作業の邪魔になることが特に問題となる。
【０００８】
そこで、本発明は、上記課題を鑑みてなされたものであって、洗米時に米の円滑な排出を可能とするとともに、洗米以外の作業時に極力邪魔とならない自動洗米装置の提供を目的とする。
【課題を解決するための手段】
【０００９】
上記課題を解決するため本発明の自動洗米装置は、投入された米と洗浄水とを攪拌して洗米する洗米部と、該洗米部を上方位置と下方位置とに移動可能に支持するリフト機構とを有することを特徴とする。
【発明の効果】
【００１０】
本発明は、洗米時には、洗米部を米排出用の位置に設置し、洗米以外の作業時は、洗米部を上方に配置することが可能であるので、円滑に米を排出することができるとともに、洗米時以外での作業を阻害することが避けられる。
【発明を実施するための最良の形態】
【００１１】
以下、図面を参照して本発明の実施の形態を説明する。なお、この実施形態の説明における記載により、本発明の技術的範囲が限定されることはない。
［第１の実施形態］
図１は、第１の実施形態に係るシンク取付型自動洗米装置１の概略断面図である。図１に示すように、自動洗米装置１は支柱１２、洗米部１４、駆動機構収容部１５、リフト機構６０とを備えている。
【００１２】
支柱１２は上下に伸びるように配置されており、支柱１２の上部にはリフト機構６０を介して水平方向前方に延び出る支持基板１３が支持されている。この支持基板１３には、これより下方に垂下するよう保持部材１７が支持されると共に、支持基板１３の下方で、且つ、該保持部材１７の前方には洗米容器１９が支持されている。また、支持基板１３の上方に突出するよう駆動機構収容部１５が設けられている。このように、洗米容器１９及び駆動機構収容部１５は支持基板１３に固定されている。
【００１３】
支柱１２の下部には、水平な床面ＦＬ上に各々垂直方向に伸びる４本の足部１１により支持されたシンク１８が取り付けられている。即ち、支柱１２は、シンク１８の後方側に備えられた背面部１８ｂにネジなどの固定部品により直接取り付けられている。
【００１４】
なお、シンク１８の底面１８ａには洗米容器１９から排出された米を収納するための受入容器１００が裁置されている。この受入容器１００のサイズ（高さ、受け口の広さ）に合わせて、背面部１８ｂへの支柱１２の取り付け位置を適宜変更可能に構成することが好ましい。例えば、図７に示すように、シンク１８の背面部１８ｂに、ネジなどの固定部品に係合する孔が上下方向に沿って複数設けられたＬ字型のアングル１８ｃ及び１８ｄを設置するとともに、支柱１２にも固定部品に係合する孔を設ける。そして、受入容器１００のサイズ（高さ、受け口の広さ）に合わせてアングル１８ｃ及び１８ｄの孔を選択し、該アングル１８ｃ及び１８ｄの孔と支柱１２の孔とを固定部品で固定することにより、洗米容器１９の位置を調整できる。このような取付位置の変更により、後に説明する洗米部１４の上方位置及び下方位置の高さが調整される。
【００１５】
洗米部１４は、洗米容器１９、開閉弁２１、攪拌部材２５を備えている。洗米容器１９は、図２に示すように、内部が中空で上方に開いた円錐形であり、下端部には精白米及び炊飯用水を排出する為の洗米排出口２０が設けられている。この洗米排出口２０には上下動可能で頂部を上方とした円錐形状の開閉弁２１が設けられており、この開閉弁２１が上下動することにより洗米排出口２０を開口あるいは閉口するようになっている。
【００１６】
本実施の形態では、上述したように洗米排出口２０に円錐形の開閉弁２１を設けており、この開閉弁２１が抵抗となって炊飯用水の排出量を規制することにより、精白米と炊飯用水とを同時に排出し、洗米容器１９内に残米することなく確実に短時間内に精白米を排出することが可能となる。また更に、開閉弁２１は円錐形で形成されており、この開閉弁２１に衝突して精白米が円状に散らばるように排出されるので、受入容器１００内に精白米が平らに収納され、精白米の均し作業を省略することができる。
【００１７】
洗米容器１９の内部には、開閉弁２１の上方から洗米容器１９内を伸びる回転軸２２の上端が駆動機構収容部１５内に伸びる状態で設けられている。この回転軸２２の周りには駆動スリーブ２６が回転自在に配設されており、駆動スリーブ２６に洗米容器１９の斜面状の内周面に沿って伸びる棒状部分を有する攪拌部材２５が固定されている。更に、洗米容器１９内部に洗浄水及び炊飯用水を供給するための給水手段（図示せず）が設けられている。
【００１８】
また、洗米容器１９の下端部で洗米排出口２０の近傍には、洗浄汚水を精白米と分離して排出するための洗浄汚水排水部４２が設けられている。この洗浄汚水排水部４２の下部には、洗浄汚水を排出する為の開口である洗浄汚水排出口４３が設けられており、この洗浄汚水排出口４３にはシンクの底面１８ａに向かって伸びる配水管４１が連設されている。したがって、洗浄汚水排水口４３から排出された洗浄汚水は、配水管４１を介してシンク１８の内部に流れ込み、底面１８ａに設けられた排水溝（図示せず）から排出される。
【００１９】
洗浄汚水排出部４２の上部にはオーバーフロー水排出口３７が設けられており、一端が洗米容器１９の上部に設けられた開口と連設する配水管３６の他端がこのオーバーフロー水排出口３７に連設されている。したがって、洗米容器１９の上部開口からオーバーフローした洗浄水は、配水管３６を介して洗浄汚水排出部４２に流れ込み、洗浄汚水排出口４３及び配水管４１を介してシンク１８の排水溝から排出される。
【００２０】
洗米容器１９の上端開口の前方側部分、例えば全開口面積の約１／３の部分はそのまま米投入口３０とされ、この米投入口３０には、これを開閉する蓋部材３１が、その後方側端部を駆動機構収容部１５の前方側端部において蝶着することにより、上下に回転自在に設けられている。
【００２１】
駆動機構収容部１５は、洗米容器１９の上端開口の前方側部分以外の過半を占める後方側部分を覆う領域に設けられている。この駆動機構収容部１５内には、洗米排出口２０の開閉弁２１を駆動するための弁開閉モータ２７及びこれと回転軸２２を連結する連結機構、攪拌部材２５を駆動するための攪拌モータ２８及びこれと駆動スリーブ２６を連結する連結機構、並びに給水手段のための制御機構（図示せず）などが収容されている。
【００２２】
また、駆動機構収容部１５の前面には、操作パネル４５が設けられている。この操作パネル４５には表示部や操作部が形成されており、作業者は、表示部により装置本体の運転状況を確認することができるとともに、操作部に設けられた電源スイッチ、洗米開始ボタン、運転モード切り替えボタンなどを押下することで、そのスイッチやボタンに対応した処理を実行することができる。
【００２３】
図３は、図１に示すシンク取付型自動洗米装置１の後方斜視図である。図４は、図１に示す自動洗米装置１の側面図であり、図４（ａ）は洗米部１４と駆動機構収容部１５とが上方にある状態を示す図、図４（ｂ）は下方にある状態を示す図である。
【００２４】
支柱１２は、それぞれ水平断面がくの字型に形成された第１支柱１２ａと第２支柱１２ｂとから構成されており、互いに一定距離だけ離間した状態で配置されている。第１支柱１２ａは側壁１２１ａと後壁１２２ａとを備えており、第２支柱１２ｂは側壁１２１ｂと後壁１２２ｂとを備えている。
【００２５】
リフト機構６０は、取付板６１、複数の支持棒６２ａ〜６２ｆ、エアダンパー６３、複数の連結部材６４ａ〜６４ｄから構成されている。取付板６１はコの字型に形成されており、後壁６１ｃと、この後壁６１ｃに連続して設けられ、後壁６１ｃに対して略垂直方向に形成された側壁６１ａ、側壁６１ｂとを備えている。側壁６１ａ、６１ｂの上部には支持棒６２ａが固定されており、側壁６１ａ、６１ｂの下部には支持棒６２ｂが固定されている。
【００２６】
一方、支柱１２の側壁１２１ａと側壁１２１ｂの上部には支持棒６２ｄが水平状態で固定され、中央部には支持棒６２ｅが水平状態で固定されている。更に、下部には支持棒６２ｆが水平状態で固定されている。
【００２７】
支持棒６２ａの両端部には連結部材６４ａ及び連結部材６４ｃの一端が回転可能に取り付けられており、この連結部材６４ａ及び６４ｃの他端は支持棒６２ｄの両端部に回転可能に取り付けられている。また、支持棒６２ｂの両端部には連結部材６４ｂ及び連結部材６４ｄの一端が回転自在に取り付けられており、この連結部材６４ｂ及び６４ｄの他端は支持棒６２ｅの両端部に回転自在に取り付けられている。
【００２８】
連結部材６４ａ及び６４ｃの中間部には、これら連結部材を互いに連結する支持棒６２ｃが固定されており、この支持棒６２ｃの中央部にエアダンパー６３の可動端が固定され、このエアダンパー６３の固定端は支柱１２の支持棒６２ｆの中央部に固定されている。
【００２９】
取付板６１の後壁６１ｃには、駆動機構収容部１５と、保持部材１７を介して洗米部１４とが取り付けられている。このように、駆動機構収容部１５、洗米部１４と支柱１２とはリフト機構６０を介して連結されており、駆動機構収容部１５及び洗米部１４は支持棒６２ｄ、６２ｅを支点として回転する連結部材６４ａ〜６４ｄにより、洗米部１４の洗米排出口２０を下方とする姿勢を維持して昇降する。なお、連結部材６４ａ〜６４ｄの長さを変えることにより、該連結部材６４ａ〜６４ｄの回転半径が変わるので、洗米部１４が昇降する移動量を調整することが可能である。すなわち、連結部材６４ａ〜６４ｄの長さを長くすると、洗米部１４の上方位置から下方位置までの移動距離は長くなり、連結部材６４ａ〜６４ｄの長さを短くすると、洗米部１４の上方位置から下方位置までの移動距離は短くなる。このように上方位置から下方位置までの移動量を調整可能とすることで、受入容器１００の高さや作業者の身長などの使用状況に合わせて、洗米部１４を適切な位置に配置することができる。
【００３０】
このように構成された自動洗米装置１において、次のようにして洗米処理が行われる。
【００３１】
まず、作業者はシンク１８の底面１８ａ上に受入容器１００を裁置する。次に、駆動機構収容部１５の前面に設けられた取っ手１６を保持し、下方に力を加えて上方に位置する洗米部１４及び駆動機構収容部１５を下降させる。これにより、図４（ａ）、（ｂ）に示すように、上方位置に配置された洗米部１４及び駆動機構収容部１５が下方に移動する。そして、下方位置に配置された洗米容器１９の洗米投入口３０を開口して精白米を所定量投入する。
【００３２】
なお、洗米部１４及び駆動機構収容部１５が下方に配置された状態を確実に維持しておくため、例えば、支柱１２の中央部に開口、保持部材１７の下方にフックを設けておき、洗米部１４及び駆動機構収容部１５が下方に配置されたときに、保持部材１７のフックを支柱１２の開口に引っかける維持機構を備えても良い。この維持機構はこれに限られることなく、公知のマグネットキャッチやプッシュキャッチなどを用いても良い。
【００３３】
このような状態において、操作パネル４５における洗米開始ボタンが押下されると、操作パネル４５において既に入力されていた洗米処理条件に従い、洗米処理が開始される。
【００３４】
洗米容器１９内においては、所定の時間、上方から洗浄水を供給するとともに、攪拌部材２５を回転駆動して精白米及び洗浄水を攪拌する攪拌処理と、洗浄汚水を排出する汚水排出処理とを繰り返す。汚水排出処理により排出された洗浄汚水は、洗浄汚水排水口４３及び配水管４１を介してシンク１８の内部に流れ込み、シンク１８の底面１８ａに設けられた排水溝から排出される。このように、洗浄汚水の排水溝をシンクの排水溝と共有することにより、別途洗米装置用の排水溝を設ける必要がないので、排水溝からの臭気やネズミ、虫などの進入を防ぐことが可能となる。
【００３５】
そして、所定の時間が経過し、洗浄汚水の排出が完了した時点で、精白米に炊飯用水が加えられて洗米容器１９の洗米排出口２０から排出され、この洗米排出口２０の下方に裁置された受入容器１００により収納される。なお、本実施の形態では、洗米排出口２０に円錐形状の開閉弁２１を設けているので、洗米排出口２０から精白米及び炊飯用水が円状に散らばるように排出される。このようなことから、洗米容器１９が下方に配置されたときの洗米排出口２０と受入容器１００の受け口との離間距離が遠すぎると受入容器１００外に排出され、また、この距離が近すぎると受入容器１００に衝突することにより精白米が破砕したり、精白米及び炊飯用水が飛び散ってしまう恐れがある。したがって、予め、使用する受入容器１００のサイズに合わせて適切な離間距離を計測しておき、洗米容器１９が下方に配置されたときにこの離間距離となるように支柱１２がシンク１８の背面部１８ｂに取り付けられている。
【００３６】
その後、シンク１８を使用する際には、取っ手１６を保持し、上方に力を加えて洗米部１４及び駆動機構収容部１５を上方に移動させる。これにより、洗米時には、洗米部１４及び駆動機構収容部１５を米排出用の下方位置に設置し、洗米以外の作業時は、洗米部１４及び駆動機構収容部１５を上方位置に退避することが可能となるので、精白米及び炊飯用水を円滑に収納することができるとともに、洗米以外で作業が自動洗米装置１によって阻害されることを避けられる。なお、このためには、洗米部１４が上方位置に配置された際、洗米部１４に設けられた洗米排出口２０は床からの距離が１４０ｃｍ〜２００ｃｍであることが望ましい。
【００３７】
また、本実施の形態においては、精白米を収納可能な貯米庫を備えず、洗米容器１９の洗米投入口３０から精白米を直接投入する簡単な構成としている。このような構成においては、リフト機構６０により洗米部１４及び駆動機構収容部１５を下方に配置可能とすることにより、洗米部１４及び駆動機構収容部１５を作業者の作業しやすい位置に配置することが可能となるので、米の投入作業や洗米容器１９の内部、操作パネル４５の洗浄などのメンテナンス作業の作業性が向上する。なお、このためには、洗米部１４が下方位置に配置された際、洗浄部１４に設けられた洗米排出口２０は床からの距離が１４０ｃｍ以下であることが望ましい。
［第２の実施形態］
図５は、第２の実施形態に係るシンク取付型自動洗米装置１の背面図であり、図５（ａ）は洗米部１４と駆動機構収容部１５とが上方にある状態を示す図、図５（ｂ）は洗米部１４と駆動機構収容部１５とが下方にある状態を示す図である。また、図６は、図５（ａ）に示す自動洗米装置１のリフト機構６０を示す概略側面図である。なお、本実施形態の自動洗米装置において、第１の実施形態に係る自動洗米装置との相違点は支柱１２及びリフト機構６０の構成であり、これら以外の同一の機能を有するものについては、同一の符号を付してその説明は省略する。
【００３８】
図５及び図６に示すように、自動洗米装置１は支柱１２、洗米部１４、駆動機構収容部１５、リフト機構６０を備えて構成されている。
【００３９】
リフト機構６０は、エアダンパー６３、スライド部材６５、複数の回転ギア６６ａ〜６６ｃ、チェーン６７により構成されている。支柱１２は水平断面がコの字型に形成されており、内部にエアダンパー６３、回転ギア６６ａ〜６６ｃ、チェーン６７が配置されている。
【００４０】
スライド部材６５は、中空の立方体形状に形成され、該中空に支柱１２が挿入されている。スライド部材６５の一端面には駆動機構収容部１５と、保持部材１７を介して洗米部１４とが取り付けられている。
【００４１】
回転ギア６６ａ〜６６ｃは、チェーン６７の移動にともない回転するギアであり、支柱１２の上部の固定軸に回転自在に支持された回転ギア６６ａ、支柱１２の中央部の固定軸に回転自在に支持された回転ギア６６ｂ、スライド部材６５の内周面に沿って上下方向にスライド可能に支持された回転ギア６６ｃから構成されている。
【００４２】
チェーン６７は、スライド部材６５のスライド移動に連動する。即ち、チェーン６７は、支柱１２に沿って配置された回転ギア６６ａ、回転ギア６６ｂ、回転ギア６６ｃにかけ渡されており、その一端はスライド部材６５の上部に設けられた凸部６５ａに固定され、他端は支柱１２の中央部に設けられた凸部１２ｃに固定されている。
【００４３】
エアダンパー６３は、空気圧により伸縮可能に構成されており、固定端が支柱１２の下部１２ｃに固定され、可動端には回転ギア６６ｃが固定されている。
【００４４】
このように構成されたリフト機構６０の作用を説明すると、スライド部材６５を支柱１２に沿って上方から下方に移動させると、滑車の作用により、エアダンパー６３の可動端は洗米部１４及び駆動機構収容部１５のスライド距離の２分の１の距離だけ下方に移動する。したがって、エアダンパー６３のダンピング作用により、洗米部１４及び駆動機構収容部１５の動きに適度な摩擦力働いて、円滑な上下動操作が行われる。
【００４５】
一方、スライド部材６５を下方から上方に移動させると、上記と逆の作用が働き、エアダンパー６３の可動端が上方に移動し、これとともに回転ギア６６ｃも上方に移動する。このようにしてスライド部材６５は支柱１２に沿って上方にスライドするので、洗米部１４及び駆動機構収容部１５は支柱１２の上方に配置される。
【００４６】
なお、本実施の形態においては、チェーン６７と回転ギア６６ａ〜６６ｃの組み合わせを用いてリフト機構を構成する例について説明したが、これに限定されることなく、例えば、ベルトとローラの組み合わせを用いて構成するようにしても良い。
【００４７】
また、リフト機構６０の形態は第１及び第２の実施形態で説明したものに限られることなく、例えば、モータを使って自動で上下に移動させることができる公知のリフト機構を用いることも可能である。
【００４８】
また、自動洗米装置１の形態もこれに限られることなく、例えば、精白米を収納可能な貯米庫を備え、操作パネル４５の洗米開始ボタンが押下されると、貯米庫に収納された精白米を自動的に洗米容器に投入する構成であっても良い。
【００４９】
また、シンク１８の代わりとして炊飯器を洗米部１４の下方に配置し、洗米部１４から排出された精白米と炊飯用水とを炊飯器の内部に設置された内釜に直接収納する構成であっても良い。即ち、洗米部１４の下方に配置するものはシンク１８に限られることなく、炊飯器や作業台など、調理場で用いられるものを適宜配置することができる。
【００５０】
また、本実施の形態では、シンクに直接取り付けられるシンク取付型自動洗米装置について説明したが、シンクに直接取り付けず、例えば、シンクの近傍の壁に取り付けてシンクの上方に自動洗米装置を配置する構成であっても構わない。更に、シンクを自動洗米装置の一部としたシンク一体型自動洗米装置とすることも可能である。
【図面の簡単な説明】
【００５１】
【図１】第１の実施形態に係るシンク取付型自動洗米装置の概略断面図である。
【図２】洗米容器の断面図である。
【図３】図１に示す自動洗米装置の後方斜視図である。
【図４】図１に示す自動洗米装置の側面図である。図４（ａ）：洗米部と駆動機構収容部とが上方にある状態を示す図である。図４（ｂ）：洗米部と駆動機構収容部とが下方にある状態を示す図である。
【図５】第２の実施形態に係るシンク取付型自動洗米装置の背面図である。図５（ａ）：洗米部と駆動機構収容部とが上方にある状態を示す図である。図５（ｂ）：洗米部と駆動機構収容部とが下方にある状態を示す図である。
【図６】図５に示す自動洗米装置のリフト機構を示す概略側面図である。
【図７】シンクの後方斜視図である。
【符号の説明】
【００５２】
１  シンク取付型自動洗米装置
１２  支柱
１４  洗米部
１５  駆動機構収容部
１８  シンク
１９  洗米容器
２１  開閉弁
２５  攪拌部材
６０  リフト機構
６１  取付板
６２ａ〜６２ｆ  支持棒
６３  エアダンパー
６４ａ〜６４ｄ  連結部材
６５  スライド部材
６６ａ〜６６ｃ  回転ギア
６７  チェーン
１００  受入容器
【図１】
2007236853.tif 000003
【図２】
2007236853.tif 000004
【図３】
2007236853.tif 000005
【図４】
2007236853.tif 000006
【図５】
2007236853.tif 000007
【図６】
2007236853.tif 000008
【図７】
2007236853.tif 000009